(57)【要約】【課題】  文字設定時、設定できる残りの文字数を視認しやすく表示すること。【解決手段】  設定モードにおいて、キー入力手段によって文字３０１（文字Ｈ）を設定すると、次の文字設定位置（最後に設定した文字Ｈの次の文字設定位置）にカーソル５０１が表示される。カーソル５０１は、設定できる残りの文字数を数字態様で表している。カーソルの文字が４であることから、設定可能な残りの文字数が４文字であることを容易に視認できる。【選択図】  図６
2009266072.tif 000002
【特許請求の範囲】
【請求項１】
設定モードにおいて表示手段に表示する複数の文字を設定する入力手段と、
前記入力手段によって設定された各文字を記憶する記憶手段と、
前記設定モードにおいて前記入力手段によって文字を設定する位置を示すカーソル及び設定された文字を表示領域に表示すると共に、表示モードにおいて前記記憶手段に記憶され設定された文字を表示する表示手段とを備え、
前記カーソルは、設定できる残りの文字数を表す態様で表示されることを特徴とする携帯型電子機器。
【請求項２】
前記表示領域に表示可能な文字数を超える文字数を記憶可能であると共に、前記設定モードにおいて前記入力手段により設定された各文字を記憶する記憶手段を有し、
前記表示手段は、前記表示モードにおいて、前記記憶手段に記憶した文字を前記表示領域に順次表示することを特徴とする請求項１記載の携帯型電子機器。
【請求項３】
前記カーソルは設定できる残りの文字数を表す数字であることを特徴とする請求項１又は２記載の携帯型電子機器。
【請求項４】
前記表示領域は複数の表示ドットによって文字を表示するように構成されて成り、前記複数の表示ドットによってグラフィック的に設定できる残りの文字数を表すことを特徴とする請求項１乃至３のいずれか一に記載の携帯型電子機器。
【請求項５】
前記表示手段は、設定可能な残り文字数が所定文字数を超える場合、残り文字数とは無関係な態様のカーソルを表示し、設定可能な残り文字数が所定文字数以下の場合には、残り文字数を表す態様のカーソルを表示することを特徴とする請求項１乃至４のいずれか一に記載の携帯型電子機器。
【請求項６】
前記表示手段は、前記設定モードにおいて、前記入力手段によって設定された文字数が前記表示領域に表示可能な文字数を超えた場合、前記表示領域に表示されている文字中の最先に設定された文字を消去して該文字側に表示をシフトさせると共に最後に設定された文字の次に前記カーソルを表示することを特徴とする請求項１乃至５のいずれか一に記載の携帯型電子機器。
【請求項７】
歩行を検出して対応する歩行信号を出力する歩行信号出力手段と、前記歩行信号出力手段からの歩行信号に基づいて歩数を計数する計数手段とを備え、
前記表示手段は、更に、前記計数手段が計数した歩数を表示することを特徴とする請求項１乃至６のいずれか一に記載の携帯型電子機器。
【発明の詳細な説明】
【技術分野】
【０００１】
本発明は、時計、歩数計等の携帯型電子機器に関し、特に、表示手段を有する携帯型電子機器に関する。
【背景技術】
【０００２】
従来から、時計、歩数計、携帯電話等の携帯型電子機器には、機器自体が小型であるため、表示手段も小型のものが利用されている。
時計や歩数計等でメッセージを入力する場合、表示が小さかったり、文字数が多くできないことから、数文字あるいは十数文字の入力になってしまう。それでも文字などの入力を行っていると、あと何文字入力できるかが分からなくなり、使用者が入力しようとした文字が入力できず、やり直さなければならない場合がある。
携帯電話などのメールで文字を入力する場合は、入力文字数／入力可能文字数などで入力可能な文字数の表示を行っているものもあるが、文字を入力する位置に表示されるわけではないので、確認のために視線を移動しなければならず、見難いという問題がある。
【０００３】
一方、特許文献１には、入力モード時において入力文字数が受付可能な最大字数に達したとき、カーソルの形状を変えるようにした通信端末装置が開示されている。しかしながら、特許文献１記載の発明では、最大字数に達する前にあと何文字入力できるかが不明である。したがって、最後まで文字を入力してみなければ、入力する文字が入力可能な文字数か否かを判別することができないという問題がある。
【０００４】
また、特許文献２には、短縮ダイヤルに登録する発呼先アドレス等の文字列入力において、残り入力可能文字数を表示するようにした通信端末器が開示されている。しかしながら、特許文献２記載の発明においても、残り入力可能文字数は、文字を入力する位置に表示されるわけではないので、確認のために視線を移動しなければならず、見難いという問題がある。
【０００５】
【特許文献１】特開平０９−３６９３４号公報
【特許文献２】特開２００５−６０７４号公報
【発明の開示】
【発明が解決しようとする課題】
【０００６】
本発明は、文字設定時、設定できる残りの文字数を視認しやすく表示することを課題としている。
【課題を解決するための手段】
【０００７】
本発明によれば、設定モードにおいて表示手段に表示する複数の文字を設定する入力手段と、前記入力手段によって設定された各文字を記憶する記憶手段と、前記設定モードにおいて前記入力手段によって文字を設定する位置を示すカーソル及び設定された文字を表示領域に表示すると共に、表示モードにおいて前記記憶手段に記憶され設定された文字を表示する表示手段とを備え、前記カーソルは、設定できる残りの文字数を表す態様で表示されることを特徴とする携帯型電子機器が提供される。
カーソルは、設定できる残りの文字数を表す態様で表示される。
【０００８】
ここで、前記表示領域に表示可能な文字数を超える文字数を記憶可能であると共に、前記設定モードにおいて前記入力手段により設定された各文字を記憶する記憶手段を有し、前記表示手段は、前記表示モードにおいて、前記記憶手段に記憶した文字を前記表示領域に順次表示するように構成してもよい。
また、前記カーソルは設定できる残りの文字数を表す数字であるように構成してもよい。
また、前記表示領域は複数の表示ドットによって文字を表示するように構成されて成り、前記複数の表示ドットによってグラフィック的に設定できる残りの文字数を表すように構成してもよい。
【０００９】
また、前記表示手段は、設定可能な残り文字数が所定文字数を超える場合、残り文字数とは無関係な態様のカーソルを表示し、設定可能な残り文字数が所定文字数以下の場合には、残り文字数を表す態様のカーソルを表示するように構成してもよい。
また、前記表示手段は、前記設定モードにおいて、前記入力手段によって設定された文字数が前記表示領域に表示可能な文字数を超えた場合、前記表示領域に表示されている文字中の最先に設定された文字を消去して該文字側に表示をシフトさせると共に最後に設定された文字の次に前記カーソルを表示するように構成してもよい。
【００１０】
歩行を検出して対応する歩行信号を出力する歩行信号出力手段と、前記歩行信号出力手段からの歩行信号に基づいて歩数を計数する計数手段とを備え、前記表示手段は、更に、前記計数手段が計数した歩数を表示するように構成してもよい。
【発明の効果】
【００１１】
本発明の携帯型電子機器によれば、文字設定時、設定できる残りの文字数を視認しやすく表示することが可能になる。
【発明を実施するための最良の形態】
【００１２】
以下、本発明の実施の形態に係る携帯型電子機器について、図面を参照しながら説明する。尚、各図において、同一部分には同一符号を付している。
図１は、本発明の実施の形態に係る携帯型電子機器のブロック図で、歩数計の例を示している。
【００１３】
図１において、歩数計は、中央処理装置（ＣＰＵ）１０１、所定周波数の信号を出力する発振回路１０２、発振回路１０２の出力信号を所定分周比で分周して計時用の時計信号を出力する分周回路１０３、外部から操作可能なスイッチによって構成されたキー入力手段１０４、使用者の歩行（走行を含む。）を検出して該歩行に対応する信号（歩行信号）を出力する加速度センサ１０７、加速度センサ１０７からの歩行信号を増幅して出力する増幅回路１０６を備えている。
【００１４】
また、歩数計は、歩数や時刻等を表示する表示部１０８、測定した歩数データや設定情報等を記憶するランダムアクセスメモリ（ＲＡＭ）１１０、ＣＰＵ１０１が実行するプログラムを予め記憶した読み出し専用メモリ（ＲＯＭ）１１１、増幅回路１０６や表示部１０８をはじめとする歩数計の各構成要素に駆動電力を供給する電源としての電池１１２を備えている。
【００１５】
歩数計としては、使用者の腰に装着したり、使用者が携帯するバッグ等に収納して使用する携帯型の歩数計でもよく、又、腕に装着して使用する腕時計型の歩数計でもよい。
加速度センサ１０７は、歩行センサを構成するセンサで、歩行等の動作に基づいて生じる加速度に対応する加速度信号を歩行信号として出力するように構成されている。
キー入力手段１０４を操作することにより、表示する文字を設定する設定モードや、設定モードで設定された文字やＣＰＵが計数した歩数を表示する表示モードに切り替えることができる。
【００１６】
前記設定モードにおいて、キー入力手段１０４を操作することにより、各種文字を入力して設定することができる。キー入力手段１０４によって設定された文字はＲＡＭ１１０に記憶される。
ＲＡＭ１１０には、表示部１０８の表示領域に一度に表示可能な文字数よりも多くの文字数が記憶できるように構成されている。表示モードにおいては、キー入力手段１０４によって設定された文字（即ち、ＲＡＭ１１０に記憶された文字）が順次表示部１０８の表示領域に一部ずつ表示（例えば、キー入力手段１０４による表示切り替え、あるいは、スクロール表示）される。
【００１７】
ここで、加速度センサ１０７及び増幅回路１０６は歩行信号出力手段を構成している。ＣＰＵ１０１は歩行信号に基づいて歩数を計数する計数手段、歩行信号に基づいて使用者が歩行しているか否かを判定する歩行判定手段、表示部１０８の表示動作を制御する制御手段を構成している。キー入力手段１０４は操作手段を構成し、表示部１０８は表示手段を構成している。また、ＲＡＭ１１０及びＲＯＭ１１１は記憶手段を構成している。
【００１８】
図２は、表示部１０８の構成を示す図である。表示部１０８は、複数の表示ドット２０１によって表示領域が構成されている。表示部１０８は、縦７ドット×横５ドット（７×５ドット）の表示ドット２０１によって１文字を表示するように構成されている。ここで、文字には、アルファベット、数字、漢字、平仮名、片仮名以外にも、記号等の何らかの情報を表示するもの全てが含まれる。
【００１９】
図３は、キー入力手段１０４から設定された文字を、表示モードにおいて表示部１０８に表示した例を示す図である。図３の例では、表示部１０８はその表示領域に英数字６文字を表示できる機能を有しており、図３には複数の文字（アルファベットＡ〜Ｆ）３０１が表示されている。
【００２０】
図４は、設定モードにおいてキー入力手段１０４から表示部１０８に文字（図４では数字１〜数字１２）３０１を設定する場合の説明図である。
図４において、領域ａとして示すように、数字１〜６までは、キー入力手段１０４によって設定する毎に、順次左から右へ表示部１０８の表示領域に表示される。ここで、数字１は最先に設定した文字で、数字６は最後に設定した文字である。
【００２１】
次に、文字７を設定する場合、表示部１０８の表示領域に表示可能な最大表示文字数が６文字のため、文字１〜文字７までの全ては表示できない。この場合、領域ｂとして示すように、表示部１０８は、設定モードにおいて、キー入力手段１０４によって設定された文字数が前記表示領域に表示可能な最大文字数を超えた場合、前記表示領域に表示されている文字中の最先に設定された文字（ここでは文字１）を消去して該文字１側に表示を１文字分シフトさせると共に最後に設定された文字（ここでは文字６）の次に前記カーソルを表示する。これにより、文字７を前記カーソル位置に入力して設定することができる。
【００２２】
以下、同様にして、領域ｃ〜領域ｇとして示すように、表示領域に表示されている文字中の最先に設定された文字を消去して該文字側に表示を１文字分シフトさせると共に最後に設定された文字の次に前記カーソルを表示し、次の文字を前記カーソル位置に入力して設定する。これにより、文字１〜文字１２のように、表示部１０８の表示領域に表示可能な最大文字数以上の文字数を設定することができる。設定した文字のデータはＲＡＭ１１０に記憶される。
【００２３】
図５は、本実施の形態におけるカーソルの態様を示す図である。同図（ａ）の例は、カーソル５０１が、設定できる残りの文字数を示す数字となっている。
図５（ｂ）、（ｃ）は、カーソルの態様を、数字ではなく、グラフィック的なものとした例である。同図（ｂ）に示したカーソル５０２の例は、点灯する表示ドットの数によって、設定できる残りの文字数を示すような態様となっている。また、同図（ｃ）に示したカーソルの例も、同図（ｂ）の例と同様に点灯する表示ドットの数によって、設定できる残りの文字数を示すような態様となっているが、点灯する表示ドットの位置が同図（ｂ）の例とは異なるようにしている。
【００２４】
例えば、アルファベットや数字を入力するような場合、図５（ａ）のように５×７ドットの文字を使用する例では、表示領域において文字設定する部分に３×５ドットの数字を表示（点滅表示）させ、残りの文字数が分かるようにする。
尚、カーソルは、設定できる残りの文字数を表す態様であれば前記以外の態様であってもよい。
【００２５】
図６は、設定モードにおいて、キー入力手段１０４によって文字を設定する場合の表示部１０８の表示を示す図である。
図６に示すように設定モードにおいて、文字３０１（文字Ｇ）が設定済みの状態から、キー入力手段１０４によって文字３０１（文字Ｈ）を設定完了すると、次の文字設定位置（最後に設定した文字の次の文字設定位置）にカーソル５０１が表示される。ここでは、カーソル５０１が数字態様の例を示している。カーソルの文字が４であることから、設定可能な残りの文字数が４文字であることが表示されている。
これにより、ユーザは、設定可能な残り文字数を容易に把握することが可能になる。また、カーソルの表示位置が文字入力位置であるため、確認のために視線を移動する必要はなく、見やすいという効果がある。
【００２６】
図７は、本実施の形態における設定モードでの処理を示すフローチャートであり、主として図１のＣＰＵ１０１が行う処理を示している。
図７において、ＣＰＵ１０１は、キー入力手段１０４の操作によって表示モードから設定モードになる。ＣＰＵ１０１は、設定モードにおいて、文字が入力されると、ＲＡＭ１１０に記憶している現在の入力文字数に１加算し（ステップＳ７０１）、設定可能な残り文字数を算出する（ステップＳ７０２）。残り文字数＝（最大入力文字数−入力文字数）で表される。ここで、最大入力文字数は設定可能な最大の文字数である。本実施の形態では最大文字数を１２文字としている。入力文字数は現在設定されている文字数（即ち、ＲＡＭ１１０に記憶されている文字数）である。
【００２７】
次に、ＣＰＵ１０１は、前記残り文字数に応じて、以下の処理を行う（ステップＳ７０３）。
残り文字数が所定文字数（本実施の形態では１０文字）を超える場合には、残り文字数とは無関係な態様のカーソルである通常カーソル（例えばアンダーバー）をカーソルとして生成する（ステップＳ７０４）。これにより、設定できる残り文字数が所定数になるまでは、残り文字数に拘泥することなく設定が行え、又、残り文字数が所定数になると残り文字数に注意しながら文字設定を行うことが可能になる。
【００２８】
残り文字数が所定文字数（本実施の形態では１０文字）以下になると、残り文字数を表す態様のカーソルを生成する（ステップＳ７０５〜Ｓ７１４）。
このように、多くの文字を入力できるような場合では、例えば残り１１文字までは通常のカーソル表示にし、残り１０文字以下になったら、入力可能文字数を表すような表示に変更する。
表示部１０８は、ＣＰＵ１０１が処理ステップＳ７０４〜Ｓ７１４において生成した各カーソルを文字入力領域に表示し（ステップＳ７１５）、その他の処理があれば当該処理を行う（ステップＳ７１６）。
【００２９】
以上述べたように本発明の実施の形態に係る携帯型電子機器は、設定モードにおいて、キー入力手段によって文字３０１（文字Ｈ）を設定すると、次の文字設定位置（最後に設定した文字Ｈの次の文字設定位置）にカーソル５０１が表示される。カーソル５０１は、設定できる残りの文字数を数字態様で表している。カーソルの文字が４であることから、設定可能な残りの文字数が４文字であることを視認できる。
【００３０】
このように、設定モードにおいてカーソルの形状を変化させることにより、あと何文字入力できるかが分かるようにしている。これにより、使用者は、設定可能な残り文字数を容易に把握することが可能になる。また、カーソルの表示位置が文字入力位置であるため、確認のために視線を移動する必要はなく、見やすいという効果がある。
また、残りの設定文字数が設定時に確認できるので、早い段階での調整が行えたり、最後に文字数が足りなくなったりせずに設定入力することができる。
【００３１】
また、ユーザが常に残り文字数を確認できるのでたまにしか使用しない場合でも、残り入力文字数が確認できるので、使い勝手が向上する。
残り入力文字数を、入力しているところで確認できることから、確認のために視線を移動しなくて済む等の効果を奏する。
【００３２】
尚、前記実施の形態では、歩数計の例で説明したが、電子時計、ページャ、携帯電話、ＰＨＳ（Personal Handyphone System）、ボイスレコーダ、ＭＰ３プレーヤ等の表示部を備えた各種の携帯型電子機器に利用可能である。
【産業上の利用可能性】
【００３３】
腕や腰等に装着しあるいは携帯バッグに収納して使用する歩数計、電子時計、ページャ、携帯電話、ＰＨＳ（Personal Handyphone System）、ボイスレコーダ、ＭＰ（MPEG1 Audio Layer）３プレーヤ等の表示部を備えた各種の携帯型電子機器に利用可能である。
【図面の簡単な説明】
【００３４】
【図１】本発明の実施の形態に係る携帯型電子機器のブロック図である。
【図２】本発明の実施の形態に係る携帯型電子機器の表示部を示す図である。
【図３】本発明の実施の形態に係る携帯型電子機器の表示を示す図である。
【図４】本発明の実施の形態に係る携帯型電子機器における設定モードの説明図である。
【図５】本発明の実施の形態に係る携帯型電子機器におけるカーソルの図である。
【図６】本発明の実施の形態に係る携帯型電子機器における設定モードの説明図である。
【図７】本発明の実施の形態に係る携帯型電子機器の処理を示すフローチャートである。
【符号の説明】
【００３５】
１０１・・・ＣＰＵ
１０２・・・発振回路
１０３・・・分周回路
１０４・・・キー入力手段
１０６・・・増幅回路
１０７・・・加速度センサ
１０８・・・表示部
１１０・・・ＲＡＭ
１１１・・・ＲＯＭ
１１２・・・電池
【図１】
2009266072.tif 000003
【図２】
2009266072.tif 000004
【図３】
2009266072.tif 000005
【図４】
2009266072.tif 000006
【図５】
2009266072.tif 000007
【図６】
2009266072.tif 000008
【図７】
2009266072.tif 000009